(57)【要約】  傷、塵埃等による光学性能の低下を防止できる光学製品収容容器を提供するために、光学製品Ｋを収容する容器１は、光学製品Ｋの光軸Ｊを上下方向に対して傾斜させた状態で、当該光学製品Ｋを収容する凹状の製品収容部２を備える。
2009060680.tif 000002
【特許請求の範囲】
【請求項１】
光学製品を収容する光学製品収容容器であって、
前記光学製品の光軸を上下方向に対して傾斜させた状態で、当該光学製品を収容する凹状の製品収容部を備えることを特徴とする光学製品収容容器。
【請求項２】
請求の範囲第１項記載の光学製品収容容器において、
前記製品収容部は、
当該製品収容部の上面よりも前記光学製品の上端を下方に位置させた状態で、当該光学製品を収容することを特徴とする光学製品収容容器。
【請求項３】
請求の範囲第２項記載の光学製品収容容器において、
前記製品収容部の上面に載置されるとともに、当該製品収容部内の前記光学製品を上方から覆う保護シートを備えることを特徴とする光学製品収容容器。
【請求項４】
請求の範囲第１項から第３項の何れか一項に記載の光学製品収容容器において、
前記光学製品を収容した状態で多段に積層可能であるとともに、
上段側の当該光学製品収容容器は、下段側の当該光学製品収容容器に収容された前記光学製品を上方から覆うことを特徴とする光学製品収容容器。
【請求項５】
請求の範囲第１項から第４項の何れか一項に記載の光学製品収容容器において、
複数の前記製品収容部と、
隣り合う前記製品収容部の間に介在するとともに、前記光学製品の側面の少なくとも上端部を側方に露出させる仕切壁部とを備えることを特徴とする光学製品収容容器。
【請求項６】
光学製品を光学製品収容容器に収容する光学製品収容方法であって、
前記光学製品収容容器として、前記光学製品を収容する凹状の製品収容部を備えるものを用い、
前記光学製品の光軸を上下方向に対して傾斜させた状態で、当該光学製品を前記製品収容部内に収容することを特徴とする光学製品収容方法。
【請求項７】
請求の範囲第６項記載の光学製品収容方法において、
前記製品収容部の上面よりも前記光学製品の上端を下方に位置させた状態で、当該光学製品を収容することを特徴とする光学製品収容方法。
【請求項８】
請求の範囲第７項記載の光学製品収容方法において、
前記製品収容部の上面に保護シートを載置し、当該製品収容部内の前記光学製品を上方から覆うことを特徴とする光学製品収容方法。
【請求項９】
請求の範囲第６項から第８項の何れか一項に記載の光学製品収容方法において、
前記光学製品を収容した状態で前記光学製品収容容器を多段に積層し、
下段側の前記光学製品収容容器に収容された前記光学製品を、上段側の前記光学製品収容容器によって上方から覆うことを特徴とする光学製品収容方法。
【請求項１０】
請求の範囲第６項から第９項の何れか一項に記載の光学製品収容方法において、
前記光学製品収容容器として、
複数の前記製品収容部と、
隣り合う前記製品収容部の間に介在するとともに、前記光学製品の側面の少なくとも上端部を側方に露出させる仕切壁部とを備えるものを用いることを特徴とする光学製品収容方法。
【発明の詳細な説明】
【技術分野】
【０００１】
本発明は、光学製品を収容する光学製品収容容器及び光学製品収容方法に関する。
【背景技術】
【０００２】
従来、レンズ等の光学製品として、四角柱状や円柱状など、端面に光学面を有し、フランジによらず位置決めされる柱状の光学製品が開発されている。【０００３】
このような光学製品は、多段に積層可能な気密性の高い収容容器内に収容されて保管・搬送されており、より詳細には、収容容器に設けられた凹状の製品収容部内に光軸を上下（鉛直）方向に向けて収容されるか、或いは、光軸を横（水平）方向に向けて収容されている（例えば、特許文献１参照）。そして、製品収容部に収容された光学製品は、上段の収容容器との間に介在する保護シートによって上方を覆われている。
【特許文献１】特開２００３−２００９９１号公報
【発明の開示】
【発明が解決しようとする課題】
【０００４】
しかしながら、光軸を上下方向に向けて光学製品を収容する場合には、上側の光学面に保護シートの成分や粉塵が付着してしまう場合があり、光学性能が低下してしまう。【０００５】
一方、光軸を横方向に向けて光学製品を収容する場合には、光学製品の収容時や取り出し時に、製品収容部の側壁面で光学面に擦れ傷を付けてしまう場合があり、やはり光学性能が低下してしまう。【０００６】
本発明の課題は、光学性能の低下を防止して光学製品を収容することができる光学製品収容容器及び光学製品収容方法を提供することである。
【課題を解決するための手段】
【０００７】
請求の範囲第１項記載の発明は、光学製品を収容する光学製品収容容器であって、
前記光学製品の光軸を上下方向に対して傾斜させた状態で、当該光学製品を収容する凹状の製品収容部を備えることを特徴とする。【０００８】
請求の範囲第２項記載の発明は、請求の範囲第１項記載の光学製品収容容器において、
前記製品収容部は、
当該製品収容部の上面よりも前記光学製品の上端を下方に位置させた状態で、当該光学製品を収容することを特徴とする。【０００９】
請求の範囲第３項記載の発明は、請求の範囲第２項記載の光学製品収容容器において、
前記製品収容部の上面に載置されるとともに、当該製品収容部内の前記光学製品を上方から覆う保護シートを備えることを特徴とする。【００１０】
請求の範囲第４項記載の発明は、請求の範囲第１項から第３項の何れか一項に記載の光学製品収容容器において、
前記光学製品を収容した状態で多段に積層可能であるとともに、
上段側の当該光学製品収容容器は、下段側の当該光学製品収容容器に収容された前記光学製品を上方から覆うことを特徴とする。【００１１】
請求の範囲第５項記載の発明は、請求の範囲第１項から第４項の何れか一項に記載の光学製品収容容器において、
複数の前記製品収容部と、
隣り合う前記製品収容部の間に介在するとともに、前記光学製品の側面の少なくとも上端部を側方に露出させる仕切壁部とを備えることを特徴とする。【００１２】
請求の範囲第６項記載の発明は、光学製品を光学製品収容容器に収容する光学製品収容方法であって、
前記光学製品収容容器として、前記光学製品を収容する凹状の製品収容部を備えるものを用い、
前記光学製品の光軸を上下方向に対して傾斜させた状態で、当該光学製品を前記製品収容部内に収容することを特徴とする。【００１３】
請求の範囲第７項記載の発明は、請求の範囲第６項記載の光学製品収容方法において、
前記製品収容部の上面よりも前記光学製品の上端を下方に位置させた状態で、当該光学製品を収容することを特徴とする。【００１４】
請求の範囲第８項記載の発明は、請求の範囲第７項記載の光学製品収容方法において、
前記製品収容部の上面に保護シートを載置し、当該製品収容部内の前記光学製品を上方から覆うことを特徴とする。【００１５】
請求の範囲第９項記載の発明は、請求の範囲第６項から第８項の何れか一項に記載の光学製品収容方法において、
前記光学製品を収容した状態で前記光学製品収容容器を多段に積層し、
下段側の前記光学製品収容容器に収容された前記光学製品を、上段側の前記光学製品収容容器によって上方から覆うことを特徴とする。【００１６】
請求の範囲第１０項記載の発明は、請求の範囲第６項から第９項の何れか一項に記載の光学製品収容方法において、
前記光学製品収容容器として、
複数の前記製品収容部と、
隣り合う前記製品収容部の間に介在するとともに、前記光学製品の側面の少なくとも上端部を側方に露出させる仕切壁部とを備えるものを用いることを特徴とする。
【発明の効果】
【００１７】
請求の範囲第１項、第６項記載の発明によれば、光学製品の光軸を上下方向に対して傾斜させた状態で、当該光学製品が凹状の製品収容部に収容されるので、光軸を上下方向に向けて光学製品を収容する従来の場合と異なり、上側の光学面と製品収容部の上面との間に隙間が形成される分、当該光学面に粉塵や保護シートの成分が付着するのを防止することができる。また、光軸を水平方向に向けて光学製品を収容する従来の場合と異なり、光学製品の収容時及び取り出し時に光学面が製品収容部の側壁面で擦れてしまうのを防止することができる。よって、粉塵や擦れ傷による光学性能の低下を防止して光学製品を収容することができる。【００１８】
請求の範囲第２項、第７項記載の発明によれば、製品収容部には、当該製品収容部の上面よりも前記光学製品の上端を下方に位置させた状態で、当該光学製品が収容されるので、光学製品収容容器の上部に、蓋などの他の部材が載置される場合であっても、光学製品に対して上下方向の外力が加わるのを防止することができる。従って、このような外力による光学製品の破損を防止することができるため、光学性能の低下をより確実に防止して光学製品を収容することができる。【００１９】
請求の範囲第３項、第８項記載の発明によれば、保護シートが製品収容部の上面に載置されるとともに、当該製品収容部内の前記光学製品を上方から覆うので、製品収容部内での光学製品の上下動を防止することができる。従って、このような上下動による光学製品の破損を防止することができるため、光学性能の低下をより確実に防止して光学製品を収容することができる。【００２０】
請求の範囲第４項、第９項記載の発明によれば、光学製品収容容器が光学製品を収容した状態で多段に積層可能であり、上段側の当該光学製品収容容器は下段側の当該光学製品収容容器に収容された前記光学製品を上方から覆うので、蓋用の部材を別途製造する場合と比較して、製造コストを低減することができる。また、収容容器と蓋用の部材とを交互に積層する場合と比較して、光学製品の収容を容易化することができる。【００２１】
請求の範囲第５項、第１０項記載の発明によれば、隣り合う製品収容部の間には、仕切壁部が介在するので、製品収容部内の光学製品同士の衝突を防止することができる。従って、このような衝突による光学製品の破損を防止することができるため、光学性能の低下をより確実に防止して光学製品を収容することができる。【００２２】
また、光学製品の側面の少なくとも上端部が仕切壁部から側方に露出するので、当該露出部分をピンセット等の把持部材で把持することができる。従って、光学製品の側面が側方に露出されていない場合と比較して、製品収容部からの光学製品の取り出しを容易化することができる。
【図面の簡単な説明】
【００２３】
【図１】光学製品を示す斜視図である。
【図２】本発明に係る光学製品収容容器を示す斜視図である。
【図３】本発明に係る光学製品収容容器を示す上面図、側面図及び矢視断面図である。
【図４】図３（ｄ）、（ａ）の部分拡大図である。
【図５】本発明に係る光学製品収容容器を示す下面図である。
【図６】本発明に係る光学製品収容容器が積層された状態を図３（ａ）中のＢ−Ｂ矢視断面で示す図である。
【符号の説明】
【００２４】
１  容器（光学製品収容容器）
２  製品収容部
４  仕切壁部
１０  製品収容部（容器）の上面
Ｋ  光学製品
Ｊ  光軸
【発明を実施するための最良の形態】
【００２５】
以下、本発明の実施の形態について、図面を参照して説明する。【００２６】
まず、本発明に係る光学製品収容容器（以下、容器とする）に収容される光学製品について説明する。【００２７】
図１は、本実施形態における光学製品Ｋを示す斜視図である。【００２８】
図１に示すように、光学製品Ｋは、光軸Ｊを中心軸とする略４角柱状となっており、２つの端面に形成された光学面Ｔ１、Ｔ２を有する面と、４つの側面Ｓ１〜Ｓ４とを有している。ここで、光学面Ｔ１は凸状に形成されており、光学面Ｔ２は凹状に形成されている。また、側面Ｓ１〜Ｓ４は、平坦に形成されている。なお、この光学製品Ｋは、位置決めのためのフランジを側面に有しない寸胴な形状となっている。光学製品Ｋを使用時に位置決め固定する方法としては、例えば、側面Ｓ１〜Ｓ４の何れかに接着剤を塗布して固定する方法や、光学製品Ｋの端面のうち、光学面Ｔ１、Ｔ２よりも外側の部分に対して光軸Ｊの方向に外力を加えて固定する方法など、他の方法を用いても良い。【００２９】
続いて、本発明に係る容器について説明する。【００３０】
図２〜図６は本発明に係る容器１を示す図である。具体的には、図２は容器１の斜視図、図３（ａ）は上面側の平面図、図３（ｂ）、（ｃ）は側面図、図３（ｄ）は図３（ａ）におけるＢ−Ｂ線での矢視断面図、図３（ｅ）は図３（ａ）におけるＡ−Ａ線での矢視断面図である。また、図４（ａ）、（ｂ）は図３（ｄ）、（ａ）の部分拡大図、図５は容器１の下面側の平面図である。【００３１】
これらの図に示すように、容器１は、平面視略矩形状に形成されており、多段に積層可能となっている（図６参照）。この容器１は、凹状の複数の製品収容部２を上面１０の中央部分に備えている。【００３２】
この製品収容部２は、図２、図４等に示すように、光軸Ｊを上下方向（鉛直方向）に対して傾斜させた状態で光学製品Ｋを収容するものであり、容器１の幅方向Ｘ（図２中の左右方向）に平行して延在する複数の角溝部３、…と、光学製品Ｋの幅の間隔で各角溝部３を幅方向Ｘに仕切る複数の仕切壁部４、…とによってマトリックス配設された状態に形成されている。【００３３】
角溝部３は、図４に示すように、幅方向Ｘに延在する垂直面３２及び傾斜面３０、３１を有している。【００３４】
垂直面３２は、上面１０に対して垂直となっており、下端部において傾斜面３１の上端部と当接している。【００３５】
傾斜面３０、３１は、容器１の上面１０に対して傾斜して設けられ、下端部で互いに当接して下方への凹みを形成している。傾斜面３１は、製品収容部２に収容される光学製品Ｋの光学面Ｔ２を有する面の光学面以外の面を下方から支持し、傾斜面３０は、光学製品Ｋの側面Ｓ１を下方から支持するようになっている。【００３６】
なお、本実施の形態においては、上下方向に対する傾斜面３０、３１の角度は、それぞれ３５度、５５度となっており、傾斜面３０、３１同士の成す角度は、９０度となっている。また、容器１の長さ方向Ｙにおける傾斜面３０の幅は光学製品Ｋの高さ（光学面Ｔ１、Ｔ２を有する面間の長さ）よりも大きくなっており、傾斜面３１の幅は光学製品Ｋの光学面Ｔ２を有する面の幅（側面Ｓ１、Ｓ３間の長さ）よりも大きくなっている。また、以上の角溝部３は、製品収容部２に収容される光学製品Ｋの上端を容器１の上面よりも下方に位置させる深さとなっており、具体的には、光学面Ｔ２を有する面及び側面Ｓ１の交わる辺から、光学面Ｔ１を有する面及び側面Ｓ３の交わる辺までの長さよりも深くなっている。【００３７】
また、図３、図４に示すように、仕切壁部４は、幅方向Ｘに隣り合う製品収容部２、２の間に介在し、傾斜面３０、３１から上方に突出した状態となっている。より詳細には、仕切壁部４は、垂直面３２の側では上面１０と面一となっており、傾斜面３０の上端の側では側面視台形状に切欠かれた状態となっている。これにより、仕切壁部４は、製品収容部２に収容される光学製品Ｋの側面Ｓ２、Ｓ４に当接して当該光学製品Ｋの幅方向Ｘへの移動を防止するとともに、光学製品Ｋの側面の少なくとも光学面Ｔ１を有する面側の領域を側方に露出させるようになっている。【００３８】
製品収容部２の上面には、製品収容部２内の光学製品Ｋを上方から覆う保護シート（図示せず）が配設されている。この保護シートは、容器１における全ての製品収容部２を１枚で覆うことのできる大きさであることが好ましい。このような保護シートとしては、従来より公知のものを用いることができる。【００３９】
以上のように製品収容部２を形成することにより、図４（ａ）の如く、光学製品Ｋは、光軸Ｊを上下方向（鉛直方向）に対して傾斜した状態で収容される。【００４０】
光軸Ｊを上下方向に対して傾斜させるとは、具体的には、製品収容部２内で、光学製品Ｋが回転又は傾斜面３０若しくは３１に沿って移動した際に、光学面Ｔ１を有する面及び側面Ｓ３の交わる辺の近傍が最初に上面１０の面より突出するように、光学製品Ｋを斜めに収容するということである。このようにすることで、振動等によって、製品収容部２内で光学製品Ｋが移動しても、光学面Ｔ１に直接的に触れる部位をなくすことができ、擦れ傷による光学性能の低下を防止できる光学製品収納容器を得ることができる。【００４１】
すなわち、本例では、上下方向に対する傾斜面３０、３１の角度を、それぞれ３５度、５５度に形成したものを用いて説明しているが、これに限るものでなく、光学製品Ｋの形状に対応して、光学製品Ｋが移動したときに光学面Ｔ１を有する面と側面Ｓ３の交わる辺の近傍が最初に上面１０の面より突出するように、傾斜面３０、３１の角度が形成されていればよいということである。【００４２】
また、図２、図３、図５に示すように、容器１は、外周縁部分に外周係合部５を備えている。【００４３】
この外周係合部５は、製品収容部２の下面よりも下方に突出するとともに、容器１の上面１０よりも窪んで設けられている。これにより、図６に示すように、光学製品Ｋを収容した容器１を多段に積層する場合には、上段の容器１の外周係合部５は、下段の容器１における外周係合部５に遊嵌され当該下段の容器１に対して幅方向Ｘ及び長さ方向Ｙに大まかに位置決めされるとともに、下段の容器１の製品収容部２に対する異物の侵入を防止するようになっている。ここで、本実施の形態においては、各容器１の外周係合部５の間には、上下方向に若干の隙間ができるようになっている。そして、このように容器１が積層された場合には、上段側に配設される容器１は、製品収容部２の下面において、前記保護シートを介し下段側の容器１の上面１０に当接するとともに、当該下段側の容器１に収容された光学製品Ｋを上方から覆うこととなる。【００４４】
また、本実施の形態においては、製品収容部２と外周係合部５との間には、下方に窪んで突出した位置決め部６が複数設けられており、これら位置決め部６は、容器１が積層された場合に、上下段の容器における位置決め部６とそれぞれ嵌合するようになっている。【００４５】
以上のような容器１は、例えば厚み０．３〜０．５ｍｍのシート状樹脂材料を真空成形加工したり、樹脂材料を射出成形加工したりすることによって、形成することができる。このような樹脂材料としては、透明なものや有色のものを必要に応じて選択することが好ましい。【００４６】
続いて、以上の容器１に対する光学製品Ｋの収容・取り出し方法について説明する。【００４７】
まず、容器１に光学製品Ｋを収容する場合には、ピンセットなどを用いて光学製品Ｋの側面Ｓ２、Ｓ４を挟み、側面Ｓ１、光学面Ｔ２を有する面を傾斜面３０、３１に載置する。これにより、光軸Ｊが上下方向に対して傾斜し、製品収容部２の上面よりも光学製品Ｋの上端が下方に位置した状態で、光学製品Ｋが各製品収容部２内に収容される。なお、光学製品Ｋを製品収容部２内に載置する際には、光学製品Ｋを傾斜面３０、３１の交線の直上か、或いは直上よりも傾斜面３０の側から、製品収容部２内に載置するのが好ましい。【００４８】
そして、製品収容部２の上面に保護シートを載置し、当該製品収容部２内の光学製品Ｋを上方から覆うとともに、容器１を多段に積層して、下段側の容器１に収容された光学製品Ｋを、上段側の容器１によって上方から覆う。【００４９】
なお、容器１を積層する場合は、保護シートを介して積層することが好ましいが、保護シートは省略してもよい。この場合は、上側に位置する容器１が保護シートの機能を有することになる。【００５０】
一方、容器１に収容された光学製品Ｋを取り出すには、各容器１の上面から保護シートを取り外した後、仕切壁部４の切欠部分を介して製品収容部２内の光学製品Ｋにおける側面Ｓ２、Ｓ４をピンセット等で挟んで取り出す。【００５１】
以上の容器１によれば、光学製品Ｋの光軸Ｊを上下方向に対して傾斜させた状態で、当該光学製品Ｋが凹状の製品収容部２に収容されるので、光軸Ｊを上下方向に向けて光学製品Ｋを収容する従来の場合と異なり、上側の光学面Ｔ１と製品収容部２の上面１０との間に隙間が形成される分、当該光学面Ｔ１に粉塵や保護シートの成分が付着するのを防止することができる。また、光軸Ｊを水平方向に向けて光学製品Ｋを収容する従来の場合と異なり、光学製品Ｋの収容時及び取り出し時に光学面Ｔ１、Ｔ２が製品収容部２の側壁面で擦れてしまうのを防止することができる。よって、粉塵や擦れ傷による光学性能の低下を防止して光学製品Ｋを収容することができる。【００５２】
また、製品収容部２には、当該製品収容部２の上面よりも光学製品Ｋの上端を下方に位置させた状態で、当該光学製品Ｋが収容されるので、容器１の上部に蓋などの他の部材が載置される場合であっても、光学製品Ｋに対して上下方向の外力が加わるのを防止することができる。従って、このような外力による光学製品Ｋの破損を防止することができるため、光学性能の低下をより確実に防止して光学製品Ｋを収容することができる。【００５３】
また、保護シートが製品収容部２の上面に載置されるとともに、当該製品収容部２内の光学製品Ｋを上方から覆うので、製品収容部２内での光学製品Ｋの上下動を少なく規制することができる。従って、このような上下動による光学製品Ｋの破損を防止することができるため、光学性能の低下をより確実に防止して光学製品Ｋを収容することができる。【００５４】
また、容器１が光学製品Ｋを収容した状態で多段に積層可能であり、上段側の当該容器１は下段側の当該容器１に収容された光学製品Ｋを上方から覆うので、蓋用の部材を別途製造する場合と比較して、製造コストを低減することができる。また、収容容器と蓋用の部材とを交互に積層する場合と比較して、光学製品Ｋの収容を容易化することができる。【００５５】
また、隣り合う製品収容部２の間には、仕切壁部４が介在するので、製品収容部２内の光学製品Ｋ同士の衝突を防止することができる。従って、このような衝突による光学製品Ｋの破損を防止することができるため、光学性能の低下をより確実に防止して光学製品Ｋを収容することができる。【００５６】
また、光学製品Ｋの側面Ｓ２、Ｓ４の少なくとも上端部が仕切壁部４から側方に露出するので、当該露出部分を用いて、ピンセット等の把持部材で把持することができる。従って、光学製品Ｋの側面が側方に露出されていない場合と比較して、製品収容部２からの光学製品Ｋの取り出しを容易化することができる。【００５７】
なお、本発明を適用可能な実施形態は、上述した実施形態に限定されることなく、本発明の趣旨を逸脱しない範囲で適宜変更可能である。
【図３】
2009060680.tif 000003
【図４】
2009060680.tif 000004
【図１】
2009060680.tif 000005
【図２】
2009060680.tif 000006
【図５】
2009060680.tif 000007
【図６】
2009060680.tif 000008
【国際調査報告】
2009060680.tif 000009
2009060680.tif 000010
2009060680.tif 000011
2009060680.tif 000012